(57)【要約】【課題】見映えの良い多重成形体付き化粧料容器とする。【解決手段】透明樹脂材料の筒状装着部１１を有色の筒状カバー部材１２に内挿することで、筒状装着部１１の外周面の突起１３を、筒状カバー部材１２の側方から見えなくする。また、筒状カバー部材１２の側方からの光を筒状カバー部材１２により遮断する。また、筒状装着部１１に内挿された有色の軸部４ｆにより、透明樹脂材料の柱体８を通し入射する光を吸収し、光量を大幅に低減すると共に、柱体８から入射し、有色の筒状カバー部材１２と軸部４ｆとの間において筒状装着部１１及び軸線方向に延びるスライド溝１４で乱反射し、筒状装着部１１の柱体８とは反対側の端部側に位置する突起１３に達しようとする光を、外側の有色の筒状カバー部材１２、内側の有色の軸部４ｆ、及び突起１３の後ろに位置する鍔部４ａの軸部側の有色面４ｇにより閉じ込めて吸収し、突起１３を柱体８の天面９側から見え難くする。【選択図】図３
2020022616.tif 000002
【特許請求の範囲】
【請求項１】
化粧料を収容する化粧料容器と、
前記化粧料容器の端部に備えられ多重成形により形成された多重成形体と、を具備した多重成形体付き化粧料容器であって、
前記多重成形体は、
透明な樹脂材料から形成され、柱状を成す柱体及び前記柱体の底面で当該柱体の側面より内側の位置から軸線方向に沿って延出した筒状装着部と、
前記柱体内に１個以上が埋設され、樹脂材料から形成され着色された立体有形物と、を備え、
前記筒状装着部は、
その外周面が円形とされ、前記外周面には、外方へ突設する突起、又は、軸線方向に延在するスライド溝の何れか一方が設けられ、
前記筒状装着部に対しては、前記筒状装着部に外挿されて前記筒状装着部を覆う筒状カバー部材が設けられており、
前記筒状カバー部材は、
その内周面が円形とされ、前記内周面には、前記突起又は前記スライド溝の他方が設けられ、
前記突起が前記スライド溝に進入することにより、前記筒状カバー部材と前記筒状装着部の回り止めが構成され、前記突起は、前記柱体とは反対側の端部側に位置し、
前記化粧料容器は、
当該化粧料容器の前記端部に設けられ、前記筒状装着部に内挿され連結される軸部と、
前記軸部に連設され、前記軸部と前記筒状装着部の連結により、前記筒状カバー部材における前記柱体とは反対側の端部を閉じる鍔部と、を備え、
前記筒状カバー部材、前記軸部、及び、前記鍔部の前記軸部側の面は、白色以外の有色とされていることを特徴とする多重成形体付き化粧料容器。
【請求項２】
前記筒状カバー部材、前記軸部、及び、前記鍔部の軸部側の面は、黒色に着色されていることを特徴とする請求項１記載の多重成形体付き化粧料容器。
【発明の詳細な説明】
【技術分野】
【０００１】
本発明は、多重成形体付き化粧料容器に関する。
【背景技術】
【０００２】
従来、色見本を備えた化粧料容器としては、以下の特許文献１に記載されている色見本付きテスターが知られている。この特許文献１にあっては、色見本は、色の異なる溶融樹脂を金型内に順番に射出し一体的に成形する多重成形体としての二色成形体とされている。具体的には、着色樹脂材料を射出成形して有天略四角筒状に立設する一次成形体を得、この一次成形体の天面及び側面を覆うように、透明樹脂材料を射出成形して有天略四角筒状に立設する二次成形体を得、これらの一次成形体及び二次成形体により二色成形体が構成される。この二色成形体では、一次成形体の色が、透明な二次成形体の内側に透けて見えるため、単なる着色成形品に比べて、艶やかで美麗な外観を呈し見栄えが良いとされている。
【先行技術文献】
【特許文献】
【０００３】
【特許文献１】特許第５１５４９８３号
【発明の概要】
【発明が解決しようとする課題】
【０００４】
ところで、アイキャッチ効果を高めるべく、特許文献１に記載のような多重成形体を、化粧料容器の端部等に連結部を介して取り付ける場合、二次成形体が透明なため、連結部の構成によっては二次成形体を通して連結部が透けて見えてしまい、見映えが悪いという問題がある。
【０００５】
そこで、本発明は、見映えの良い多重成形体付き化粧料容器を提供することを目的とする。
【課題を解決するための手段】
【０００６】
本発明による多重成形体付き化粧料容器は、化粧料を収容する化粧料容器と、化粧料容器の端部に備えられ多重成形により形成された多重成形体と、を具備した多重成形体付き化粧料容器であって、多重成形体は、透明な樹脂材料から形成され、柱状を成す柱体及び柱体の底面で当該柱体の側面より内側の位置から軸線方向に沿って延出した筒状装着部と、柱体内に１個以上が埋設され、樹脂材料から形成され着色された立体有形物と、を備え、筒状装着部は、その外周面が円形とされ、外周面には、外方へ突設する突起、又は、軸線方向に延在するスライド溝の何れか一方が設けられ、筒状装着部に対しては、筒状装着部に外挿されて筒状装着部を覆う筒状カバー部材が設けられており、筒状カバー部材は、その内周面が円形とされ、内周面には、突起又はスライド溝の他方が設けられ、突起がスライド溝に進入することにより、筒状カバー部材と筒状装着部の回り止めが構成され、突起は、柱体とは反対側の端部側に位置し、化粧料容器は、当該化粧料容器の端部に設けられ、筒状装着部に内挿され連結される軸部と、軸部に連設され、軸部と筒状装着部の連結により、筒状カバー部材における柱体とは反対側の端部を閉じる鍔部と、を備え、筒状カバー部材、軸部、及び、鍔部の軸部側の面は、白色以外の有色とされていることを特徴としている。
【０００７】
このような多重成形体付き化粧料容器によれば、透明樹脂材料から成る筒状装着部は、有色の筒状カバー部材に内挿されるため、筒状装着部の外周面又は筒状カバー部材の内周面に設けられ回り止めを構成する突起は、有色の筒状カバー部材の側方から見えなくなる。また、有色の筒状カバー部材の側方からの光（可視光線）は当該筒状カバー部材により遮断される。また、透明樹脂材料から成る筒状装着部に内挿された有色の軸部により、透明樹脂材料から成る柱体を通して入射する光は吸収され、光量が大幅に低減されると共に、柱体から入射し、有色の筒状カバー部材と軸部との間において透明樹脂材料から成る筒状装着部及び軸線方向に延びるスライド溝（空間）で乱反射し、筒状装着部又は筒状カバー部材の柱体とは反対側の端部側に位置する突起に達しようとする光は、外側の有色の筒状カバー部材、内側の有色の軸部、及び、突起の後ろに位置する鍔部の軸部側の有色の面により閉じ込められて吸収され、突起は柱体の天面側から見え難くなる。このように、化粧料容器と多重成形体との連結部を構成する突起は見え難くなり、見映えの良い多重成形体付き化粧料容器となる。
【０００８】
なお、ここで、有色から白色を除いているのは、白色は光の殆ど（可視光線の９９％程度）を反射し殆ど吸収しないからであり、突起が柱体の天面側から見えやすくなってしまうからである。
【０００９】
ここで、筒状カバー部材、軸部、及び、鍔部の軸部側の面は、黒色に着色されているのが好ましい。このような構成を採用した場合、黒色は、特に光の吸収率が高いため、一層突起が見え難くなる。
【発明の効果】
【００１０】
このように本発明によれば、突起が見え難く、見映えの良い多重成形体付き化粧料容器を提供できる。
【図面の簡単な説明】
【００１１】
【図１】本発明の実施形態に係る多重成形体付き化粧料容器を示す斜視図である。
【図２】図１に示す多重成形体付き化粧料容器の縦断面図である。
【図３】図２中の多重成形体、後部筒及び筒状カバー部材を示す縦断面図である。
【図４】図３中のIV-IV矢視図である。
【図５】図２〜図４中の後部筒を示す斜視図である。
【図６】図５に示す後部筒の側面図である。
【図７】図１〜図４中の多重成形体を示す斜視図である。
【図８】図７に示す多重成形体の側面図である。
【図９】図８に示す多重成形体の左側面図である。
【図１０】図１〜図４中の筒状カバー部材を示す斜視図である。
【発明を実施するための形態】
【００１２】
以下、本発明による多重成形体付き化粧料容器の好適な実施形態について図１〜図１０を参照しながら説明する。図１は、本発明の実施形態に係る多重成形体付き化粧料容器を示す斜視図、図２は、多重成形体付き化粧料容器の縦断面図、図３は、多重成形体、後部筒及び筒状カバー部材を示す縦断面図、図４は、図３中のIV-IV矢視図であり、本実施形態では、棒状化粧料繰出容器を化粧料容器として説明する。
【００１３】
図１及び図２に示すように、多重成形体付き化粧料容器１００は、全体形状が筆記具の如き細長い丸棒状を呈するものであり、化粧料容器１と、化粧料容器１の後端部に連結され多重成形により形成された多重成形体２と、化粧料容器１と多重成形体２との間に介在し内部を覆う筒状カバー部材１２とを主体として、外観が構成されている。
【００１４】
化粧料容器１は、軸線方向に延びる長尺な本体筒３を備え、図２に示すように、本体筒３内には、丸棒状の棒状化粧料Ｍと、棒状化粧料Ｍを支持すると共に螺合部の一方を備える移動体としての棒状化粧料支持体５と、螺合部の他方を備える雌螺子部材６と、雌螺子部材６と本体筒３内との間に介装された圧縮コイルバネ７と、本体筒３の後部内に配置され雌螺子部材６の略後半部を囲繞する後部筒４が配置されている。
【００１５】
本体筒３は、例えばＰＰ（ポリプロピレン）、ＡＢＳ樹脂等から形成され、長尺な円筒状を呈し、先端部の外周面が多少先細りする形状とされている。本体筒３の後部側の内周面には、後部筒４を軸線方向に係合するための凹部３ａが円環状に設けられている。
【００１６】
本体筒３には、先端の開口３ｂから後方へ向かって延び棒状化粧料Ｍの摺動を可能とする棒状化粧料孔３ｃが設けられる。この棒状化粧料孔３ｃの周囲の複数箇所（ここでは四等配の位置）には、開口３ｂの近傍から本体筒３の軸線方向中程に亘って、棒状化粧料支持体５の後述する支持片５ｄを収容し摺動を可能とする支持片溝３ｄが連設される。そして、これらの棒状化粧料孔３ｃ及び当該棒状化粧料孔３ｃ周囲の支持片溝３ｄ〜３ｄにより、棒状化粧料Ｍ及び支持片５ｄが摺動する進退孔３ｅが構成される。ここでは、棒状化粧料孔３ｃは棒状化粧料Ｍと同様な断面円形とされる。そして、支持片溝３ｄの先端面が、棒状化粧料支持体５の支持片５ｄの先端が突き当たる棒状化粧料支持体５の前進限とされる。
【００１７】
また、本体筒３の軸線方向中程から後方で進退孔３ｅに続く部分には、段部３ｆを介して断面円形に拡径される大径孔３ｇが、圧縮コイルバネ７及び雌螺子部材６並びに後部筒４の前側の円筒部４ｄを収容する領域として設けられている。
【００１８】
棒状化粧料支持体５は、棒状化粧料Ｍの後端部を支持するための支持部５ａと、支持部５ａより後側に設けられ、雌螺子部材６の後述する雌螺子である螺合突起６ｂに螺合する雄螺子５ｂと、を備える。雄螺子５ｂは、軸線方向に長尺に延在する。
【００１９】
前側の支持部５ａは、棒状化粧料Ｍの後端面を突き当てるための基部５ｃと、この基部５ｃから前方へ所定長突出し周方向の複数位置（ここでは四等配の位置）に設けられ、基部５ｃに突き当てられた棒状化粧料Ｍの後端部を相互間に挟んで支持する支持片５ｄと、を備える。
【００２０】
図５は、後部筒を示す斜視図、図６は、後部筒の側面図であり、後部筒４は、例えばＡＢＳ樹脂等から形成される。後部筒４は、図２〜図６に示すように、略有底円筒状を呈し、本体筒３との相対回転により棒状化粧料Ｍを進退させるためのものである。後部筒４の後部側の外周面には外方へ突出する鍔部４ａが円環状に形成される。この鍔部４ａは、その前面に、本体筒３の後端面が突き当てられると共に、その後面４ｇ（図３参照）に、筒状カバー部材１２の先端面１２ａ（開放端面；図１０参照）が突き当てられるものである。
【００２１】
後部筒４の鍔部４ａより前側の円筒状の円筒部４ｄは、本体筒３の大径孔３ｇに収容され、鍔部４ａより後側の有底円筒状の有底円筒部４ｆは、多重成形体２の後述の円筒状の筒状装着部１１に内挿されるものである。後部筒４の円筒部４ｄの外周面には、本体筒３の凹部３ａに軸線方向に係合するための凸部４ｂが円環状に設けられている。また、後部筒４には、その内周面に、周方向に沿って凹凸が連なり当該凹凸が軸線方向に延びるローレット４ｃが、雌螺子部材６を回転方向に係合するためものとして設けられている。
【００２２】
なお、ここでは、棒状化粧料Ｍの移動ストロークを長くとるべく、図３に示すように、ローレット４ｃを後部筒４の鍔部４ａより後側へと延ばした有底円筒部４ｆとしているが、ローレット４ｃは当該部位まで延びてなくても良く、有底円筒部は円柱部であっても良く、要は、外周面が円形（詳しくは後述）な軸部であれば良い。従って、上記有底円筒部を以降は軸部４ｆと呼ぶ。
【００２３】
雌螺子部材６は、例えばＰＯＭ（ポリアセタール）等から形成され、図２に示すように、略円筒状を呈し、軸線方向中程より多少前側に円環状の鍔部６ａを備える。この雌螺子部材６の鍔部６ａより後側の部分が、後部筒４に内挿される。雌螺子部材６の内周面の先端部には、棒状化粧料支持体５の雄螺子５ｂに螺合する一対の螺合突起（雌螺子）６ｂ，６ｂが対向して設けられる。また、雌螺子部材６の鍔部６ａより後側には、周方向に沿って離間され軸線方向に延びる突条６ｃが、後部筒４のローレット４ｃを回転方向に係合するものとして設けられる。
【００２４】
圧縮コイルバネ７は、雌螺子部材６の鍔部６ａより前側の部分を囲繞すると共に、本体筒３の段部３ｆと雌螺子部材６の鍔部６ａとの間に挟まれるように配置される。なお、圧縮コイルバネ７に代えて例えば樹脂バネ等を用いても良い。
【００２５】
そして、先ず、雌螺子部材６の螺合突起６ｂ，６ｂに棒状化粧料支持体５の雄螺子５ｂを、基部５ｃと雌螺子部材６の先端面とが接するように螺子込み、次いで、本体筒３の段部３ｆに当接するように圧縮コイルバネ７を本体筒３に内挿する。そして、棒状化粧料支持体５及び雌螺子部材６を、その先端側から本体筒３の後端側に内挿し、その支持片５ｄが本体筒３の支持片溝３ｄに進入するようにして、進退孔３ｅに内挿する。従って、棒状化粧料支持体５の支持片５ｄが進入する支持片溝３ｄは、棒状化粧料支持体５の回り止めとされ、棒状化粧料支持体５は、本体筒３に対して軸線方向に移動可能且つ軸線周りに同期回転可能に装着される。
【００２６】
次いで、後部筒４の鍔部４ａより前側の円筒部４ｄを、本体筒３の大径孔３ｇに進入させ、雌螺子部材６の突条６ｃを後部筒４のローレット４ｃに進入させ回転方向に係合することによって、雌螺子部材６と後部筒４とを軸線周りに同期回転可能とし、後部筒４の先端面を、雌螺子部材６の鍔部６ａの後端面に突き当てると共に、後部筒４の鍔部４ａの先端面を、本体筒３の後端面に突き当て、後部筒４の凸部４ｂが本体筒３の凹部３ａに軸線方向に係合することによって、本体筒３に対して後部筒４が軸線方向に移動不能且つ軸線周りに回転可能に装着される。
【００２７】
この状態で、雌螺子部材６の鍔部６ａは、圧縮コイルバネ７の付勢力により後方へ押圧され、雌螺子部材６の鍔部６ａは後部筒４の先端面に当接した状態になっている。この圧縮コイルバネ７は、そのバネ定数が、筆圧よりも大きく設定されていると共に、多重成形体付き化粧料容器１００を例えば落下させたとき等に雌螺子部材６に作用する衝撃等を緩衝し、雌螺子部材６に螺合する棒状化粧料支持体５の棒状化粧料Ｍを保護する役目を果たす。
【００２８】
そして、棒状化粧料Ｍは、本体筒３の開口３ｂから挿入され棒状化粧料支持体５の支持片５ｄに支持される。棒状化粧料Ｍは、ここではリップ用とされているが、他の用途に用いる棒状化粧料であっても勿論良い。
【００２９】
次に、多重成形体２について説明する。図７は、多重成形体を示す斜視図、図８は、多重成形体の側面図、図９は、図８の左側面図であり、多重成形体２はアイキャッチ効果を高めるために化粧料容器１の後端部に設けられたものである（図１及び図２参照）。
【００３０】
多重成形体２は、色の異なる溶融樹脂を金型内に順番に射出し一体的に成形する工法により得られるものであり、図７〜図９に示すように、透明な樹脂材料から形成された柱体８と、柱体８内に埋設され、樹脂材料から形成されて着色された立体有形物Ｔと、を備えている。
【００３１】
透明な樹脂材料としては、例えば、ＡＳ（アクリル・スチレン）、ＰＣ（ポリカーボネート）、ＰＭＭＡ（アクリル）、ＰＥＴ（ポリエチレンテレフタレート）等が挙げられる。また、樹脂材料の着色は、例えば上記透明な樹脂材料に例えば顔料等の色材を加えることにより成される。
【００３２】
柱体８は、透明な樹脂材料から形成され天面９及び底面１０を有する筒状体を有し、筒状体と立体有形物Ｔとの間に、透明な樹脂材料が充填されることにより多重成形体２が形成されている。柱体８は、ここでは、円柱とされている。
【００３３】
着色された立体有形物Ｔは、ここでは、ピンク色のリーフ（葉っぱ）とされている。立体有形物Ｔは、上下方向に傾くように斜めに配置されると共に、透明な樹脂材料の柱体８の外周側を除く位置を埋めるように配置されている（図３参照）。なお、立体有形物Ｔは、リーフに限定されるものではなく、例えば球や蝶のような他の立体有形物を採用することもできる。また、色もピンクに限定されるものではなく、例えば赤や緑等を採用することもできる。また、アイキャッチ効果の観点からすれば、立体有形物Ｔは２個以上であっても良く、立体有形物を色違いにしたり、大きさを異ならせたり、違う形状として良い。
【００３４】
柱体８の底面１０には、柱体８と共に透明な樹脂材料から一体成形された筒状装着部１１が、柱体８を化粧料容器１の後端部の軸部４ｆに固定するためのものとして設けられている。筒状装着部１１は、円筒状を呈し、その外周面が、柱体８の外周面より小径とされ、筒状装着部１１の筒内に、化粧料容器１の後部筒４の軸部４ｆが内挿され、接着固定される。
【００３５】
筒状装着部１１の外周面で、柱体８とは反対側の端部側（図７及び図８の左側）の位置には、外方へ突設し筒状カバー部材１２を回転方向に係合する回り止めとしての突起１３が設けられている。突起１３は、ここでは、バランスや組立性を考慮して、周方向に沿って４等配の位置に設けられているが、好ましくは一対、最低でも１個あれば良い。
【００３６】
また、図１０に示す円筒状の筒状カバー部材１２が、筒状装着部１１を覆うように外挿されている。筒状カバー部材１２の内周面には、図１０に示すように、軸線方向に延びてその両端が外部開放され、突起１３に対応するスライド溝１４が４個凹設され、突起１３がスライド溝１４に進入することにより、筒状カバー部材１２と筒状装着部１１の回り止めが構成されている。なお、筒状カバー部材１２は、ここでは、アルミより形成されているが、例えば樹脂等の他の材質より形成しても勿論構わない。
【００３７】
そして、後部筒４の外面、及び、筒状カバー部材１２の全面（内外周面及び端面）は黒色に塗装されている。この着色は、例えばドブづけやスプレー等で行うことが可能である。
【００３８】
このような多重成形体２と後部筒４の軸部４ｆとの連結、及び、筒状カバー部材１２の装着は、以下のようにして行う（図３及び図４参照）。先ず、多重成形体２の筒状装着部１１の突起１３が、筒状カバー部材１２のスライド溝１４に進入するようにして、筒状カバー部材１２を筒状装着部１１の開放端側から外挿し回り止めした状態で、筒状カバー部材１２の柱体８側の端面を、柱体８の底面１０に突き当てる。
【００３９】
そして、接着剤が塗布された軸部４ｆを筒状装着部１１に内挿し、軸部４ｆと筒状装着部１１とを接着固定し連結する。すると、鍔部４ａの後面である軸部側の面４ｇ（図２、図３及び図６参照）が、筒状カバー部材１２の開放端面１２ａに当接し、筒状カバー部材１２は、柱体８の底面１０の外周側と軸部４ｆの鍔部４ａとの間に挟み込まれ軸線方向に移動不能とされると共に、突起１３とスライド溝１４との回り止めにより回転不能とされ、筒状カバー部材１２は、化粧料容器１側から後部筒４の鍔部４ａにより閉じられた状態となる。なお、筒状カバー部材１２に内挿される筒状装着部１１の開放端も、鍔部４ａの軸部側の面４ｇに当接していても良い。そして、このようにして図１及び図２に示す多重成形体付き化粧料容器１００が得られる。ここでは、図１に示すように、多重成形体付き化粧料容器１００の先端から後端に亘って、本体筒３、鍔部４ａ、筒状カバー部材１２、多重成形体２の柱体８の外周面が同形を成し、面一に繋がる外観に構成されている。
【００４０】
このような多重成形体付き化粧料容器１００を用い、使用者により、本体筒３と、多重成形体２又は筒状カバー部材１２（後部筒４の鍔部４ａでも可）とが一方向である繰り出し方向に相対回転（回転操作）されると、本体筒３と同期回転可能な棒状化粧料支持体５の雄螺子５ｂと、後部筒４と同期回転可能な雌螺子部材６の螺合突起６ｂ，６ｂによる螺合作用が働き、棒状化粧料支持体５が前進し、棒状化粧料Ｍは本体筒３の開口３ｂから出現し塗布に供することができる。塗布が終了し、使用者により、上記部品が一方向の反対方向である繰り戻し方向に相対回転（回転操作）されると、棒状化粧料支持体５が後退し、棒状化粧料Ｍが本体筒３の開口３ｂから没入する。
【００４１】
このようにして使用されるアイキャッチ効果を有する多重成形体付き化粧料容器１００にあっては、特に図３及び図４を参照にすれば、透明樹脂材料から成る筒状装着部１１は、黒色の筒状カバー部材１２に内挿されるため、筒状装着部１１の外周面に設けられ回り止めを構成する突起１３は、黒色の筒状カバー部材１２の側方から見えなくなる。また、黒色の筒状カバー部材１２の側方からの光は当該筒状カバー部材１２により遮断される。また、透明樹脂材料から成る筒状装着部１１に内挿された黒色の軸部４ｆにより、透明樹脂材料から成る柱体８を通して入射する光は吸収され、光量が大幅に低減されると共に、柱体８から入射し、黒色の筒状カバー部材１２と軸部４ｆとの間において透明樹脂材料から成る筒状装着部１１及び軸線方向に延びるスライド溝（空間）１４で乱反射し、筒状装着部１１の柱体８とは反対側の端部側に位置する突起１３に達しようとする光は、外側の黒色の筒状カバー部材１２、内側の黒色の軸部４ｆ、及び、突起１３の後ろに位置する鍔部４ａの軸部側の黒色の面４ｇにより閉じ込められて吸収され、突起１３は柱体８の天面９側から見え難くなる（殆ど見えなくなる）。このように、化粧料容器１と多重成形体２との連結部を構成する突起１３は見え難くなり、見映えの良い多重成形体付き化粧料容器１００となる。なお、ここでは、鍔部４ａを含む後部筒４の外面を全て黒色にしているが、軸部４ｆの外面及び鍔部４ａの軸部側の面４ｇが黒色であれば、同様な作用・効果を奏する。
【００４２】
因みに、光の吸収率が高く突起１３を格別に見え難くする効果があるとして、筒状カバー部材１２、及び、後部筒４（軸部４ｆの外面及び鍔部４ａの軸部側の面４ｇ）を黒色としているが、例えば、紺色や灰色等、白色以外の有色であれば採用できる。これは、筒状カバー部材１２、又は、後部筒４の軸部４ｆ、又は、鍔部４ａの軸部側の面４ｇの何れかを白色にすると、光の殆ど（可視光線の９９％程度）を反射して吸収せず、突起１３が、柱体８の天面９側から見えやすくなってしまうからである。従って、白色以外の有色であれば、白色よりも光を吸収し突起１３を見え難くすることができる。
【００４３】
以上、本発明をその実施形態に基づき具体的に説明したが、本発明は上記実施形態に限定されるものではなく、例えば、上記実施形態においては、棒状化粧料Ｍを、断面円形としているが、例えば楕円芯でも良く、扁平芯でも良い。この場合は、棒状化粧料の形状に合わせて進退孔３ｅ等を変更する必要がある。
【００４４】
また、上記実施形態においては、柱体８を円柱としているが、柱状の例えば多角柱等とすることもできる。また、筒状カバー部材１２は、回り止めを有する内周面が円形であれば、外周面は円形に限定されず、多角形や非円形等とすることもでき、要は、柱体８、筒状カバー部材１２、鍔部４ａの外周面は、化粧料容器１の外周面の形状に合わせるのが好ましい。また、筒状装着部１１は、柱体８の底面１０で当該柱体８の側面より内側の位置から軸線方向に沿って延出した筒状体であれば良く、回り止めを有する外周面が円形であれば良い。
【００４５】
また、軸部４ｆの外周面と筒状装着部１１の内周面の形状も限定されるものではなく、嵌合固定、接着固定等、連結できる形状であればその形状は限定されない。また、軸部４ｆの外周面にローレットを設けると共に、筒状装着部１１の内周面に複数のリブを設け、ローレットとリブを回転方向に係合させ回り止めした状態で、軸部４ｆと筒状装着部１１とを接着固定しても良い。
【００４６】
また、上記実施形態においては、筒状カバー部材１２を、柱体８の底面１０の外周側と後部筒４の鍔部４ａとの間に挟み込み軸線方向に移動不能とすると共に、突起１３とスライド溝１４との回り止めにより回転不能としているが、筒状カバー部材１２を筒状装着部１１に接着固定しても良い。この場合も、接着前の組立時において、突起１３とスライド溝１４との回り止めにより、筒状装着部１１に対する筒状カバー部材１２の組立性を向上できる。
【００４７】
また、上記実施形態においては、多重成形体２を化粧料容器１の後端部に連結しているが、例えば、化粧料容器のキャップの先端側に対して連結しても良い。
【００４８】
また、上記実施形態では、筒状装着部１１の外周面に突起１３を設けると共に、筒状カバー部材１２の内周面にスライド溝１４を設けているが、筒状装着部１１の外周面にスライド溝１４を設けると共に、筒状カバー部材１２の内周面に突起１３を設ける構成であっても良い。
【００４９】
さらにまた、本発明は、棒状化粧料Ｍを繰り出して使用する化粧料容器１以外にも適用可能であり、液状化粧料を収容し塗布に供する液状化粧料容器や、粉体化粧料を収容し塗布に供する粉体化粧料容器等に対しても適用可能であり、要は、化粧料を収容する化粧料容器全てに対して適用可能であり、さらには、顧客が店頭で手軽に試供可能なテスターとしても採用できる。
【符号の説明】
【００５０】
１…化粧料容器、２…多重成形体、４…後部筒、４ａ…鍔部、４ｆ…軸部、４ｇ…鍔部の軸部側の面、８…柱体、９…天面、１０…底面、１１…筒状装着部、１２…筒状カバー部材、１３…突起、１４…スライド溝、１００…多重成形体付き化粧料容器、Ｍ…棒状化粧料（化粧料）、Ｔ…立体有形物。
【図１】
2020022616.tif 000003
【図２】
2020022616.tif 000004
【図３】
2020022616.tif 000005
【図４】
2020022616.tif 000006
【図５】
2020022616.tif 000007
【図６】
2020022616.tif 000008
【図７】
2020022616.tif 000009
【図８】
2020022616.tif 000010
【図９】
2020022616.tif 000011
【図１０】
2020022616.tif 000012